(57)【要約】【課題】  課題は棒状化粧料収納容器を誤って正立あるいは倒立状態で落下させてしまった際に皿部材の係合ピンには棒状化粧料の重量によって大きな衝撃力が加わることになり、それによって係合ピンが皿部材より破断してしまい、収納された棒状化粧料を繰り出すことが出来なくなってしまうということである【解決手段】  棒状化粧料収納容器の皿部材の係合ピンの上方向の棒状化粧料まで達しない位置で、係合ピンの上端より係合ピンの軸心方向の径寸法に対して０．５倍ないし２．５倍の位置に、係合ピンとほぼ同軸上で係合ピン横方向の径寸法に対して２倍ないし６倍の幅となる切欠きを皿部材に形成したことで解決している。【選択図】図１
2018029682.tif 000002
【特許請求の範囲】
【請求項１】
下部に軸心方向の切割り溝が形成された筒状の内筒部材と、内部に螺旋溝が形成され前記内筒部材の切割り溝が形成された部位を回動可能ではあるが抜け出し不能に覆うラセン部材と、上部に口紅などの棒状化粧料を保持し下部外面に内筒部材の切割り溝及びラセン部材の螺旋溝と係合する係合ピンが形成され内筒部材内に上下移動可能に配置された皿部材と、上部に蓋嵌合部が形成されラセン部材の外周を回動不能に覆う袴部材と、袴部材の上部を着脱自在に覆う蓋とから構成される口紅などの棒状化粧料収納容器において、皿部材の係合ピンの上方向の棒状化粧料まで達しない位置で、縦方向は係合ピンの上端より係合ピンの軸心方向の径寸法に対して０．５倍ないし２．５倍の位置に、横方向は係合ピンとほぼ同軸上で係合ピン横方向の径寸法に対して２倍ないし６倍の幅となる切欠きを皿部材に形成したことを特徴とする口紅などの棒状化粧料収納容器。
【請求項２】
上部に軸心方向の切割り溝が形成された筒状の内筒部材と、内部に螺旋溝が形成され前記内筒部材の切割り溝が形成された部位を回動可能ではあるが抜け出し不能に覆うラセン部材と、上部に口紅などの棒状化粧料を保持し下部外面に内筒部材の切割り溝及びラセン部材の螺旋溝と係合する係合ピンが形成され内筒部材内に上下移動可能に配置された皿部材と、上部に蓋嵌合部が形成され内筒部材の下部に固定された袴部材と、袴部材の上部を着脱自在に覆う蓋とから構成される口紅などの棒状化粧料収納容器において、皿部材の係合ピンの上方向の棒状化粧料まで達しない位置で、縦方向は係合ピンの上端より係合ピンの軸心方向の径寸法に対して０．５倍ないし２．５倍の位置に、横方向は係合ピンとほぼ同軸上で係合ピン横方向の径寸法に対して２倍ないし６倍の幅となる切欠きを皿部材に形成したことを特徴とする口紅などの棒状化粧料収納容器。
【発明の詳細な説明】
【技術分野】
【０００１】
本発明は棒状化粧料を収納する棒状化粧料収納容器に関するものである。
【背景技術】
【０００２】
従来の棒状化粧料収納容器は、下部に軸心方向の切割り溝が形成された筒状の内筒部材と、内部に螺旋溝が形成され前記内筒部材の切割り溝が形成された部位を回動可能ではあるが抜け出し不能に覆うラセン部材と、上部に口紅などの棒状化粧料を保持し下部外面に内筒部材の切割り溝及びラセン部材の螺旋溝と係合する係合ピンが形成され内筒部材内に上下移動可能に配置された皿部材と、上部に蓋嵌合部が形成されラセン部材の外周を回動不能に覆う袴部材と、袴部材の上部を着脱自在に覆う蓋で構成されていた。
【０００３】
あるいは上部に軸心方向の切割り溝が形成された筒状の内筒部材と、内部に螺旋溝が形成され前記内筒部材の切割り溝が形成された部位を回動可能ではあるが抜け出し不能に覆うラセン部材と、上部に口紅などの棒状化粧料を保持し下部外面に内筒部材の切割り溝及びラセン部材の螺旋溝と係合する係合ピンが形成され内筒部材内に上下移動可能に配置された皿部材と、上部に蓋嵌合部が形成され内筒部材の下部に固定された袴部材と、袴部材の上部を着脱自在に覆う蓋で構成されていた。
【０００４】
しかしながらこのように構成された従来の棒状化粧料収納容器では、収納容器を誤って正立あるいは倒立状態で落下させてしまった際には皿部材の係合ピンには棒状化粧料の重量によって大きな衝撃力が加わることになり、それによって係合ピンが皿部材より破断してしまうという欠点があり、そしてこのように係合ピンが破断してしまっては収納された棒状化粧料を繰り出すことが出来なくなってしまうものであった。
【０００５】
この改善策としては落下時に皿部材の係合ピンに加わる衝撃を和らげることが必要であり、その目的は全く異なるが似た構造を示す先行技術文献としては実開昭５８−１１２２１６及び実開昭６３−６４３１０がある。
【０００６】
実開昭５８−１１２２１６は紅皿（３）のピン（６）の基部を取り囲むようにコ字状の切込み（７）が設けられたものであり、切込み（７）部が弾性変形することによって摩擦抵抗が低減され円滑な上下動を保障するものであるが、このようにコ字状の切込みを係合ピンの基部に設けてしまっては落下時に係合ピンに加わる大きな衝撃力に切込み部が耐えることができず、コ字状部がその根元より破断もしくは塑性変形してしまって円滑な上下動ができなくなってしまうものである。
【０００７】
実開昭６３−６４３１０は中皿の仕切り版の下部側壁の軸対称位置に長方形状の係止孔６ａが形成され、この係止孔に合成ゴムなどの弾性材で成形した弾性体の突起７ｄが係止されて弾性体を中皿に係止させるものであり、したがって係止孔６ａの位置も図の説明では突起３ｂの上部の同軸上に描かれているが必ずしも突起３ｂの同軸上の上部である必要は無く、周上のどの位置にあっても弾性体を中皿に係止させるという目的を達成させることに差し支えないものであるから、この係止孔６ａは落下時に皿部材の係合ピンに加わる衝撃を和らげるように作用するものではない。
【先行技術文献】
【特許文献】
【０００８】
【特許文献１】実開昭５８−１１２２１６
【特許文献２】実開昭６３−６４３１０
【発明の概要】
【発明が解決しようとする課題】
【０００９】
解決しようとする課題は棒状化粧料収納容器を誤って正立あるいは倒立状態で落下させてしまった際に皿部材の係合ピンには棒状化粧料の重量によって大きな衝撃力が加わることになり、それによって係合ピンが皿部材より破断してしまい、収納された棒状化粧料を繰り出すことが出来なくなってしまうということである。
【課題を解決するための手段】
【００１０】
本発明は棒状化粧料収納容器の皿部材の係合ピンの上方向の棒状化粧料まで達しない位置で、係合ピンの上端より係合ピンの軸心方向の径寸法に対して０．５倍ないし２．５倍の位置に、係合ピンとほぼ同軸上で係合ピン横方向の径寸法に対して２倍ないし６倍の幅となる切欠きを形成したことを主要な特徴としている。
【発明の効果】
【００１１】
本発明は棒状化粧料収納容器を誤って正立あるいは倒立状態で落下させてしまった際でも係合ピンが皿部材より破断してしまうことが無く、それによって収納された棒状化粧料を繰り出すことが出来なくなってしまうことが無いという効果がある。
【図面の簡単な説明】
【００１２】
【図１】発明の実施例を示す断面説明図である。
【図２】発明の皿部材、内筒部材、ラセン部材の斜視図である。
【図３】発明の皿部材の説明図である。
【図４】発明の第２の実施例を示す断面説明図である。
【図５】発明の第２の実施例の皿部材、内筒部材、ラセン部材の斜視図である。
【図６】発明の第２の実施例の皿部材の説明図である。
【発明を実施するための形態】
【００１３】
棒状化粧料収納容器を誤って正立あるいは倒立状態で落下させてしまった際に、棒状化粧料の重量によって大きな衝撃力が皿部材の側壁を伝わって直接係合ピンに加わり、係合ピンが皿部材より破断してしまうことが無いようにするという目的を、皿部材の係合ピンの上方向の棒状化粧料まで達しない位置で、係合ピンの上端より係合ピンの軸心方向の径寸法に対して０．５倍ないし２．５倍の位置に、係合ピンとほぼ同軸上で係合ピン横方向の径寸法に対して２倍ないし６倍の幅となる切欠きを皿部材に形成したことで実現した。
【実施例】
【００１４】
図１ないし図３に示す発明の第１の実施例において、１は上端部が開口された筒状の内筒部材で、この内筒部材１の下部には軸心方向の切割り溝２が形成されている。
【００１５】
３は前記内筒部材１の切割り溝２が形成された部位を回動可能ではあるが内筒部材１を抜け出し不能に覆う筒状に形成されたラセン部材で、このラセン部材３の内部には下端部まで達する螺旋溝４が形成されている。
【００１６】
このラセン部材３は内筒部材１のほぼ中央部に環状に形成した膨出部５をラセン部材３の上部に形成した凹溝６でくわえ込むことで内筒部材１を抜け出し不能としている。
【００１７】
７は化粧料２０を上部に収納して前記内筒部材１内に上下移動可能に形成された皿部材で、この皿部材７の下部外面には前記内筒部材１の切割り溝２及びラセン部材３の螺旋溝４と係合する係合ピン８が形成され、内筒部材１とラセン部材３を回動させることで内筒部材１内で皿部材７を上下移動可能として化粧料２０を内筒部材１の上端面から出没させている。
【００１８】
この皿部材７には係合ピン８の上方向の棒状化粧料２０まで達しない位置には切欠き１２が形成されていて、この切欠き１２は化粧料収納容器を倒立落下させたときに棒状化粧料２０の重量による衝撃が皿部材７の側壁を伝わって直接係合ピン８に加わることを防止するように、皿部材７の棒状化粧料２０と係合ピン８の間に設けられ落下の衝撃を緩める作用をしている。
【００１９】
さらにこの切欠き１２は係合ピン８の上方向位置（図３の説明でＢ寸法）は係合ピン８の上端より係合ピン８の軸心方向の径寸法（図３の説明でＡ寸法）に対して０．５倍ないし２．５倍の位置に設けられ、幅寸法（図３の説明でＤ寸法）は係合ピン８とほぼ同軸上で係合ピン８の横方向の径寸法（図３の説明でＣ寸法）に対して２倍ないし６倍の幅となるようにすることが望ましく、それを外れた寸法としてしまうと棒状化粧料の重量によって生じた大きな衝撃力を和らげることができなかったり、あるいは衝撃力によって皿部材７の側壁や係合ピン８が塑性変形してしまったりして十分な効果が発揮できないものである。
【００２０】
９はラセン部材３の外周を抜け出し不能でさらに回動不能に覆うハカマ部材で、このハカマ部材９は図の説明ではハカマ部材本体１０とその上部に固定された蓋嵌合部が形成された嵌合部材本体１１より構成されるものとしてあるが、これに限らずハカマ部材９はハカマ部材本体１０と嵌合部材本体１１が１部品で形成されたものであっても良い。
【００２１】
１４はハカマ部材９に形成された蓋嵌合部１１と着脱自在に嵌合する蓋である。
【００２２】
このように構成された棒状化粧量収納容器２１においては、内筒部材１と袴部材８を回動させることによって棒状化粧料２０を内筒部材１の上端より出没させることができ、さらに棒状化粧料収納容器２１を誤って正立あるいは倒立状態で落下させてしまった場合にも、棒状化粧料２０の重量による衝撃が皿部材７の側壁を伝わって係合ピン８に加わることを切欠き１２がその衝撃を遮断することによって、係合ピン８が皿部材７より破断してしまわぬように作用している。
【００２３】
次に発明の異なる実施例について説明する。
図４ないし図６に示す第２の実施例において、第１の実施例と主に異なる点は繰り出しをする構造で、この第２の実施例は上端部が開口され上部に軸心方向の切割り溝２Ａが形成された筒状の内筒部材１Ａと、内部には下端部まで達する螺旋溝４Ａが形成され内筒部材１Ａの切割り溝２Ａが形成された部位を回動可能ではあるが抜け出し不能に覆う筒状に形成されたラセン部材３Ａと、上部に口紅などの棒状化粧料２０を収納して下部外面に内筒部材１Ａの切割り溝２Ａ及びラセン部材３Ａの螺旋溝４Ａと係合する係合ピン８Ａが形成され内筒部材１Ａ内に上下移動可能に配置された皿部材７Ａと、上部に蓋嵌合部１１が形成され内筒部材１Ａの下部に固定された袴部材１０Ａと、この袴部材１０Ａの上部を着脱自在に覆う蓋１４とから構成されてた棒状化粧料収納容器２１Ａとしている。
【００２４】
この第２の実施例においても第1に実施例と同様に皿部材７Ａの係合ピン８Ａの上方向の棒状化粧料２０まで達しない位置には切欠き１２Ａが形成されていて、この切欠き１２Ａは棒状化粧料収納容器２１Ａを倒立落下させたときに棒状化粧料２０の重量による衝撃が皿部材７Ａの側壁を伝わって直接係合ピン８Ａに加わることを防止するように、皿部材７Ａの棒状化粧料２０と係合ピン８Ａの間に設けられ落下の衝撃を緩める作用をしている。
【００２５】
さらにこの切欠き１２Ａの係合ピン８Ａの上方向位置および軸心方向の径寸法は第1の実施例と同様で、上方向位置（図６の説明でＢ寸法）は係合ピン８Ａの上端より係合ピン８Ａの軸心方向の径寸法（図６の説明でＡ寸法）に対して０．５倍ないし２．５倍の位置に、幅寸法（図６の説明でＤ寸法）は係合ピン８Ａとほぼ同軸上で係合ピン８Ａの横方向の径寸法（図６の説明でＣ寸法）に対して２倍ないし６倍の幅となるようにすることが望ましい。
【００２６】
このように構成された第２の実施例においても第１の実施例と同様に、ラセン部材３Ａと袴部材８Ａを回動させることによって棒状化粧料２０を内筒部材１Ａ、ラセン部材３Ａの上端より出没させることができ、さらに棒状化粧料収納容器２１Ａを誤って正立あるいは倒立状態で落下させてしまった場合にも、棒状化粧料２０の重量による衝撃が皿部材７Ａの側壁を伝わって係合ピン８Ａに加わることを切欠き１２Ａがその衝撃を遮断することによって、係合ピン８Ａが皿部材７Ａより破断してしまわぬように作用している。
【産業上の利用可能性】
【００２７】
本発明は以上説明したように従来品の構造に手を加えることによって構成されているので、同一構造の繰り出し式容器であれば、他の化粧品収納容器などにも簡単に適用できる。
【符号の説明】
【００２８】
１、１Ａ    内筒部材
２、２Ａ    切り割り溝
３、３Ａ    ラセン部材
４、４Ａ    螺旋溝
５    膨出部
６    凹溝
７、７Ａ    皿部材
８、８Ａ    係合ピン
９、９Ａ    ハカマ部材
１０、１０Ａ    ハカマ部材本体
１１    嵌合部材本体
１２、１２Ａ    切欠き
２０    棒状化粧料
２１、２１Ａ  棒状化粧料収納容器
【図１】
2018029682.tif 000003
【図２】
2018029682.tif 000004
【図３】
2018029682.tif 000005
【図４】
2018029682.tif 000006
【図５】
2018029682.tif 000007
【図６】
2018029682.tif 000008